(57)【要約】【課題】  輝度の経時変化を抑制するための最適な電気光学装置のエージング処理の設定方法及びそのエージング処理の設定方法を用いた電気光学素子の製造方法を提供する。【解決手段】  ＴＲａ／ＴＲｂ＝（ＬＲａ／ＬＲｂ）ｎＲ、ＴＧａ／ＴＧｂ＝（ＬＧａ／ＬＧｂ）ｎＧ及びＴＢａ／ＴＢｂ＝（ＬＢａ／ＬＢｂ）ｎＢにて示される曲線で適合させ、各曲線に基づいて、それぞれ赤、緑及び青色用有機ＥＬ素子ＥＬＲ，ＥＬＧ，ＥＬＢのエージング処理の設定条件を算出した。【選択図】  図２
2005276677.tif 000002
【特許請求の範囲】
【請求項１】
電気光学装置のエージング処理の設定方法において、
前記電気光学装置は、陽極と陰極との間に少なくとも発光層を含む電気光学層を挟持してなる電気光学素子を複数個備え、
前記電気光学素子を定電流で駆動した際に測定される輝度の経時変化を、ｎを定数、Ｃ１を第１の駆動条件とし、その第１の駆動条件で第１の状態に到達するのに要する時間をτ１、Ｃ２を第２の駆動条件とし、その第２の駆動条件で第２の状態に到達するのに要する時間をτ２としたとき、次の式
τ１／τ２＝（Ｃ１／Ｃ２）ｎ
にて示される曲線で適合させ、前記曲線に基づいてエージング処理の設定を行うようにしたことを特徴とする電気光学装置のエージング処理の設定方法。
【請求項２】
請求項１に記載の電気光学装置のエージング処理の設定方法において、
前記第１の駆動条件及び第２の駆動条件は、それぞれ前記電気光学素子に供給する電流密度であることを特徴とする電気光学装置のエージング処理の設定方法。
【請求項３】
請求項１または２に記載の電気光学装置のエージング処理の設定方法において、
前記電気光学素子は複数種類あり、その複数種類の電気光学素子の各々は、赤色用電気光学素子、緑色用電気光学素子、青色用電気光学素子であることを特徴とする電気光学装置のエージング処理の設定方法。
【請求項４】
請求項１乃至３のいずれか一つに記載の電気光学装置のエージング処理の設定方法において、
前記ｎは、−１．５〜−２．３の範囲にある定数であることを特徴とする電気光学装置のエージング処理の設定方法。
【請求項５】
請求項１乃至４のいずれか一つに記載の電気光学装置のエージング処理の設定方法において、
前記電気光学素子は、その発光層を構成する材料が有機材料で構成されていることを特徴とする電気光学装置のエージング処理の設定方法。
【請求項６】
請求項１乃至５のいずれか一つに記載の電気光学装置のエージング処理の設定方法を用いたことを特徴とする電気光学装置の製造方法。
【発明の詳細な説明】
【技術分野】
【０００１】
本発明は、電気光学装置のエージング処理の設定方法及び電気光学装置の製造方法に関する。
【背景技術】
【０００２】
近年、小型化・薄型化の観点から、液晶ディスプレイやエレクトロルミネッセンスディスプレイといった電気光学装置が注目されている。特に、発光素子材料が有機材料で構成された有機エレクトロルミネッセンスディスプレイ（以下、有機ＥＬディスプレイという）は、液晶ディスプレイに比べて高速応答及び広視野角であるため、その研究開発が盛んに行われている。
【０００３】
ところで、有機ＥＬディスプレイでは、その各発光素子（有機ＥＬ素子）は長時間安定に発光させることが困難である。特に、ディスプレイ製造直後においては、各有機ＥＬ素子の特性が安定しておらず、輝度が経時的に変化してしまう。そのため、たとえ、同じ輝度情報をプログラムしたデータ信号を供給しても、時間が経つと素子毎にその発光輝度が異なる。その結果、輝度ムラが発生して、表示品位が損なわれる。
【０００４】
そこで、この問題に対しては、ディスプレイ製造時に、予め、各有機ＥＬ素子に電流を印加して所定期間発光させることで有機ＥＬ素子の輝度の経時変化を抑制する、所謂エージング処理を行うことが知られている。
【０００５】
しかし、従来のエージング処理では、各有機ＥＬ素子のそれぞれ異なる初期輝度特性に対しての考慮がなされていないため、有機ＥＬ素子によっては過度にエージング処理が行われてしまう場合があった。
【０００６】
これに対して、各有機ＥＬ素子を定電流で駆動した際に測定される輝度の経時変化の挙動を基にモデルを作成し、これを目的に応じて解くことによって最適化を試みるエージング処理方法が提案されている（特許文献１）。
【特許文献１】特許第３２５０５６１号公報
【発明の開示】
【発明が解決しようとする課題】
【０００７】
しかしながら、実際に製造される有機ＥＬ素子においては、上記特許文献に挙げられているようなモデルにフィットしないもの、またはフィットしない状態や期間が存在する。このため、素子によっては過度なエージングが行われてしまい、最適なエージングが行われないという問題があった。そこで、上記特許文献に挙げられる方法とは異なったエージング処理の設定方法が望まれている。
【０００８】
本発明は、上記従来の問題点に鑑みてなされたもので、その目的は、輝度の経時変化を抑制するための最適な電気光学装置のエージング処理の設定方法及びそのエージング処理の設定方法を用いた電気光学装置の製造方法を提供することにある。
【課題を解決するための手段】
【０００９】
本発明における電気光学装置のエージング処理の設定方法は、前記電気光学装置は、陽極と陰極との間に少なくとも発光層を含む電気光学層を挟持してなる電気光学素子を複数個備え、前記所定の電気光学素子を定電流で駆動した際に測定される輝度の経時変化を、ｎを定数、Ｃ１を第１の駆動条件とし、その第１の駆動条件で第１の状態に到達するのに
要する時間をτ１、Ｃ２を第２の駆動条件とし、その第２の駆動条件で第２の状態に到達するのに要する時間をτ２としたとき、τ１／τ２＝（Ｃ１／Ｃ２）ｎにて示される曲線で適合させ、前記曲線に基づいてエージング処理の設定を行うようにした。
【００１０】
これによれば、τ１／τ２＝（Ｃ１／Ｃ２）ｎに基づいて電気光学素子のエージング処理の設定条件を算出することで、過不足の無い最適な条件で各電気光学素子をエージング処理させることができる。
【００１１】
この電気光学装置のエージング処理の設定方法において、前記第１の駆動条件及び第２の駆動条件は、それぞれ前記電気光学素子に供給する電流密度であってもよい。
これによれば、例えば、電気光学素子に供給する電流の電流密度を設定することで、エージング処理に要する時間を算出することができる。
【００１２】
この電気光学装置のエージング処理の設定方法において、前記電気光学素子は複数種類あり、その複数種類の電気光学素子の各々は、赤色用電気光学素子、緑色用電気光学素子、青色用電気光学素子であってもよい。
【００１３】
これによれば、赤色、緑色、青色からなるフルカラー表示可能な電気光学装置の全ての電気光学素子に対して過不足の無い最適な条件でエージング処理させることができる。
この電気光学装置のエージング処理の設定方法において、前記ｎは、−１．５〜−２．３の範囲にある定数であってもよい。
【００１４】
これによれば、ｎが−１．５〜−２．３以下の範囲にある電気光学素子に対して過不足の無い最適な条件でエージング処理させることができる。
この電気光学装置のエージング処理の設定方法において、前記電気光学素子は、その発光層を構成する材料が有機材料で構成されていてもよい。
【００１５】
これによれば、発光層が有機材料で構成された有機ＥＬディスプレイの全ての電気光学素子に対して過不足の無い最適な条件でエージング処理させることができる。
本発明の電気光学装置の製造方法は、上記記載の電気光学装置のエージング処理の設定方法を用いた。
【００１６】
これによれば、電気光学装置の製造方法時において、例えば、最短時間で全ての電気光学素子を過不足の無い最適な条件でエージング処理させることができる。
【発明を実施するための最良の形態】
【００１７】
以下、本発明を具体化した各実施形態を、図面に基づいて説明する。
（第１実施形態）
まず、本発明のエージング処理の設定方法を用いて製造された有機エレクトロルミネッセンス表示装置（以下、有機ＥＬディスプレイという）の一例について説明する。
【００１８】
図１は、本発明のエージング処理の設定方法を用いた製造された有機ＥＬディスプレイの上面図であり、図２は、図１に示した有機ＥＬディスプレイのａ−ａ線での断面図である。
【００１９】
図１に示すように、有機ＥＬディスプレイ１は、ディスプレイ部ＤＳと、該ディスプレイ部ＤＳの下側（図１中反Ｙ矢印方向側）に接続されたフレキシブル回路基板ＦＣとから構成されている。ディスプレイ部ＤＳは、その略中央に表示領域Ｒを、また、表示領域Ｒを囲む表示領域Ｒ以外の領域に非表示領域Ｑをそれぞれ備えている。
【００２０】
表示領域Ｒには、図１中Ｘ，Ｙ矢印方向にそれぞれ延設された隔壁Ｂが設けられ、その隔壁Ｂによって画素形成領域２が升目状に区画形成されている。各画素形成領域２は、１個の赤、緑または青色用有機ＥＬ素子ＥＬＲ，ＥＬＧ，ＥＬＢが形成される領域である。赤色用有機ＥＬ素子ＥＬＲからは赤色の光が、緑色用有機ＥＬ素子ＥＬＧからは緑色の光が、青色用有機ＥＬ素子ＥＬＢからは青色の光がそれぞれ出射される。
【００２１】
表示領域Ｒには、１行当りｍ個の赤、緑及び青色用有機ＥＬ素子ＥＬＲ，ＥＬＧ，ＥＬＢがそれぞれｎ行、また、１列当りｎ個の赤、緑及び青色用有機ＥＬ素子ＥＬＲ，ＥＬＧ，ＥＬＢがそれぞれｍ列形成されている。そして、赤、緑及び青色用有機ＥＬ素子ＥＬＲ，ＥＬＧ，ＥＬＢは、それぞれ図１中Ｘ矢印方向（行方向）に沿って赤色用有機ＥＬ素子ＥＬＲ→緑色用有機ＥＬ素子ＥＬＧ→青色用有機ＥＬ素子ＥＬＢ→赤色用有機ＥＬ素子ＥＬＲ→…の順に繰り返して配置されている。また、赤、緑及び青色用有機ＥＬ素子ＥＬＲ，ＥＬＧ，ＥＬＢは、それぞれ図１中Ｙ矢印方向（列方向）に沿って同色のＥＬ素子ＥＬＲ，ＥＬＧ，ＥＬＢが配置されている。そして、図１中Ｘ矢印方向に隣接して並んだ赤色用有機ＥＬ素子ＥＬＲ、緑色用有機ＥＬ素子ＥＬＧ及び青色用有機ＥＬ素子ＥＬＢで１組の画素３を形成している。
【００２２】
非表示領域Ｑには、表示領域Ｒを挟むようにして一対の走査線駆動回路４が形成されている。各走査線駆動回路４は、図示しない走査線を介して一行の各色用ＥＬ素子ＥＬＲ，ＥＬＧ，ＥＬＢ群毎に接続されている。そして、各走査線駆動回路４は、ｎ行ある各色用有機ＥＬ素子ＥＬＲ，ＥＬＧ，ＥＬＢ群を１行毎に順次選択する走査信号を出力する回路である。また、各走査線駆動回路４は、全ての有機ＥＬ素子ＥＬＲ，ＥＬＧ，ＥＬＢを一斉に選択可能とする全素子選択信号を出力するための回路である。
【００２３】
また、非表示領域Ｑ上であって、表示領域Ｒの上側（図１中Ｙ矢印方向側）には検査回路５が形成されている。
本実施形態における検査回路５は、エージング処理を行わせる機能を備えた回路である。詳しくは、検査回路５は、図示しない赤色用信号線を介して全ての赤色用有機ＥＬ素子ＥＬＲの各々に接続している。また、検査回路５は、図示しない緑色用信号線を介して全ての緑色用有機ＥＬ素子ＥＬＧの各々に接続している。さらに、検査回路５は、図示しない青色用信号線を介して全ての青色用有機ＥＬ素子ＥＬＢの各々に接続している。
【００２４】
そして、検査回路５は、有機ＥＬディスプレイ１を出荷する前に赤、緑及び青色用有機ＥＬ素子ＥＬＲ，ＥＬＧ，ＥＬＢを、赤、緑及び青色用有機ＥＬ素子ＥＬＲ，ＥＬＧ，ＥＬＢ毎に予め設定された輝度及び期間で発光させるための所望の各種定電流を出力する。つまり、検査回路５は、全ての有機ＥＬ素子ＥＬＲ，ＥＬＧ，ＥＬＢのうち、赤色用有機ＥＬ素子ＥＬＲ、緑色用有機ＥＬ素子ＥＬＧ、または青色用有機ＥＬ素子ＥＬＢ毎に独立した所望の電流レベルを有する電流を供給することができる。以下、本明細書においては、エージング処理のために検査回路５から各赤色用有機ＥＬ素子ＥＬＲへ出力される電流を赤色用エージング電流ＩＲ、各緑色用有機ＥＬ素子ＥＬＧへ出力される電流を緑色用エージング電流ＩＧ、及び各青色用有機ＥＬ素子ＥＬＢへ出力される電流を青色用エージング電流ＩＢという。
【００２５】
一方、フレキシブル回路基板ＦＣ上にはデータ線駆動回路６と制御回路７とが形成されている。データ線駆動回路６は、図示しないデータ線を介して１列の各色用有機ＥＬ素子ＥＬＲ，ＥＬＧ，ＥＬＢ毎に接続されている。そして、データ線駆動回路６は、前記走査線駆動回路４によって選択された各色用有機ＥＬ素子ＥＬＲ，ＥＬＧ，ＥＬＢに対応するデータ信号を出力するための回路である。このデータ信号は、表示される所望の画像に対する輝度情報がプログラムされた信号であって、赤、緑及び青色用有機ＥＬ素子ＥＬＲ，ＥＬＧ，ＥＬＢの発光輝度を決定する。
【００２６】
制御回路７は、走査線駆動回路４、検査回路５及びデータ線駆動回路６と図示しない制御線を介して接続されている。そして、制御回路７は、各駆動回路４，６及び検査回路５の駆動を制御するための各種制御信号を生成し、その生成した制御信号を各駆動回路４，６及び検査回路５にそれぞれ出力するための回路である。
【００２７】
そして、前記制御回路７から出力される各種制御信号によって走査線駆動回路４が前記走査信号を出力するとともに、前記走査信号のタイミングでデータ線駆動回路６からデータ信号が出力される。このような構成により、赤、緑及び青色用有機ＥＬ素子ＥＬＲ，ＥＬＧ，ＥＬＢは、データ線駆動回路６より出力されたデータ信号に応じた輝度で各色の光を出射し、その結果、表示領域Ｒ上に所望の画像が表示される。
【００２８】
図２は、ディスプレイ部ＤＳの図１中ａ−ａ線での断面図である。ディスプレイ部ＤＳは、光透過性を有するガラスや高分子フィルムで構成された基板Ｓを備えている。基板Ｓ上には、回路形成層Ｓｂが形成されている。回路形成層Ｓｂには、薄膜トランジスタＴＦＴといった各種回路素子が形成されている。この薄膜トランジスタＴＦＴは、前記データ線駆動回路６（図１参照）からのデータ信号に応じた駆動電流を制御したり、検査回路５からの各色用エージング電流ＩＲ，ＩＧ，ＩＢを伝達したりするトランジスタである。また、回路形成層Ｓｂには、前記走査線駆動回路４や検査回路５を構成する回路素子の一部または全部が形成されている。
【００２９】
回路形成層Ｓｂ上の略中央には前記表示領域Ｒが形成されている。表示領域Ｒ内の回路形成層Ｓｂ上には、それぞれが略矩形状を成した複数個（本実施形態では、３ｍ×３ｎ個）の画素電極１０が配置されている。
【００３０】
画素電極１０は、インジウム錫酸化物（ＩＴＯ）、酸化インジウム・酸化亜鉛系アモルファスといった透明導電材料で構成されている。各画素電極１０は、コンタクトホールＨを介して対応する薄膜トランジスタＴＦＴのドレインまたはソースに電気的に接続されている。そして、画素電極１０には、薄膜トランジスタＴＦＴから供給される前記駆動電流の電流密度及び各色用エージング電流ＩＲ，ＩＧ，ＩＢの電流密度に応じたキャリアが供給される。
【００３１】
また、前記表示領域Ｒ内の回路形成層Ｓｂ上には、図２中Ｚ矢印方向にその断面形状が略台形状である前記隔壁Ｂが配置されている。
隔壁Ｂは、アクリルやポリイミドといった撥液性有機物絶縁材料で構成されている。そして、この隔壁Ｂによって、その断面が凹状を成した画素形成領域２が複数個（本実施形態では、３ｍ×３ｎ個）区画形成される。
【００３２】
画素形成領域２内の各画素電極１０上には、本実施形態においては、正孔輸送層１１、赤、緑または青色用発光層１２Ｒ，１２Ｇ，１２Ｂが配置されている。
正孔輸送層１１は、例えばポリチオフェン誘導体、ポリピロール誘導体など、またはそれらのドーピング体といった有機材料で構成されている。正孔輸送層１１は、対応する画素電極１０から供給されるキャリアを該画素電極１０の上層に形成された赤、緑または青色用発光層１２Ｒ，１２Ｇ，１２Ｂへ効率良く注入させるための層である。
【００３３】
赤、緑及び青色用発光層１２Ｒ，１２Ｇ，１２Ｂは、それぞれ有機材料で構成されている。詳しくは、赤、緑及び青色用発光層１２Ｒ，１２Ｇ，１２Ｂは、蛍光あるいは燐光を発光することが可能な公知の有機物発光材料で構成されている。具体的には、（ポリ）フルオレン誘導体（ＰＦ）、（ポリ）パラフェニレンビニレン誘導体（ＰＰＶ）、ポリフェニレン誘導体（ＰＰ）、ポリパラフェニレン誘導体（ＰＰＰ）、ポリビニルカルバゾール
（ＰＶＫ）、ポリチオフェン誘導体、ポリジアルキルフルオレン（ＰＤＡＦ）、ポリフルイオレンベンゾチアジアゾール（ＰＦＢＴ）、ポリアルキルチオフェン（ＰＡＴ）や、ポリメチルフェニルシラン（ＰＭＰＳ）などのポリシラン系などが好適である。
【００３４】
また、これらの高分子材料に、ペリレン系色素、クマリン系色素、ローダミン系色素などの高分子系材料や、ルブレン、ペリレン、９，１０−ジフェニルアントラセン、テトラフェニルブタジエン、ナイルレッド、クマリン６、キナクリドン等の低分子材料をドープして用いてもよい。
【００３５】
そして、赤色用発光層１２Ｒは赤色の光を、緑色用発光層１２Ｇは緑色の光を、青色用発光層１２Ｂは青色の光をそれぞれ対応する正孔輸送層１１から注入されたキャリア密度に応じた輝度で出射する。出射された各色の光は、前記回路形成層Ｓｂ及び基板Ｓを介して外部へ出射される。また、出荷後の有機ＥＬディスプレイ１の各色用発光層１２Ｒ，１２Ｇ，１２Ｂからはその輝度が急激な経時変化を示さず安定した各色の光が外部へ出射される。
【００３６】
また、正孔輸送層１１及び赤、緑及び青色用発光層１２Ｒ，１２Ｇ，１２Ｂを各画素電極１０と対向する位置には、各画素電極１０の対向電極としての陰極１４が形成されている。陰極１４は、隔壁Ｂ上を渡って非表示領域Ｑの回路形成層Ｓｂ上に至るまで形成されている。
【００３７】
陰極１４は、１層からなる金属層であっても２層あるいは３層からなる金属層であってもよい。具体的には、陰極１４は、アルミニウム（Ａｌ）、マグネシウム（Ｍｇ）、リチウム（Ｌｉ）、カルシウム（Ｃａ）などの単体材料や、マグネシウム（Ｍｇ）−アルミニウム（Ａｌ）（Ｍｇ：Ａｌ＝１０：１）合金で構成されている。また、酸化リチウムＬｉ２Ｏ／アルミニウム（Ａｌ）、フッ化リチウム（ＬｉＦ）／アルミニウム（Ａｌ）、フッ化マグネシウム（Ｍｇ）／アルミニウム（Ａｌ）といった積層膜が好適である。
【００３８】
このようにして、画素電極１０と陰極１４との間に正孔輸送層１１及び赤色用発光層１２Ｒを挟持してなる赤色用有機ＥＬ素子ＥＬＲが構成されている。また、画素電極１０と陰極１４との間に正孔輸送層１１及び緑色用発光層１２Ｇを挟持してなる緑色用有機ＥＬ素子ＥＬＧが構成されている。同様に、画素電極１０と陰極１４との間に正孔輸送層１１及び青色用発光層１２Ｂを挟持してなる青色用有機ＥＬ素子ＥＬＢが構成されている。
【００３９】
また、前記回路形成層Ｓｂの外周縁部には陰極１４全面を覆うように、乾燥した空間Ｆを介して、エポキシ樹脂よりなる封止部材ＦＢが接着されている。
次に、前記のような構成を有する有機ＥＬディスプレイ１において、その赤、緑及び青色用有機ＥＬ素子ＥＬＲ，ＥＬＧ，ＥＬＢの各輝度の経時変化を抑制するために、画素電極１０と陰極１４との間に各エージング電流を印加してエージング処理を行うが、そのエージング処理の方法について図３及び図４に基づいて説明する。
【００４０】
まず、前記基板Ｓ上に、公知の方法によって薄膜トランジスタＴＦＴや他の回路素子を備えた回路形成層Ｓｂを形成した後、同回路形成層Ｓｂ上の表示領域Ｒ内にインクジェット法を用いて赤、緑及び青色用有機ＥＬ素子ＥＬＲ，ＥＬＧ，ＥＬＢを形成する。そして、乾燥した空間Ｆを介して封止部材ＦＢを接着してディスプレイ部ＤＳを形成し、その後、その形成されたディスプレイ部ＤＳの下側に、別途データ線駆動回路６及び制御回路７を形成したフレキシブル回路基板ＦＣを接続して有機ＥＬディスプレイ１を製造する（図１参照）。
【００４１】
続いて、前記のように製造された有機ＥＬディスプレイ１において、その出荷前に、前
記制御回路７からの制御信号に基づいて、走査線駆動回路４を駆動させて予め設定された一行に配置された画素３群を選択する走査信号を出力する。そして、前記走査信号を出力したタイミングに同期して検査回路５を駆動させ、同検査回路５から、まず、赤色用信号線を介して各赤色用有機ＥＬ素子ＥＬＧに予め設定された任意の電流レベルを有する第１の設定電流ＣＲ１を出力する。このとき、検査回路５からは、赤色用信号線以外の他の緑色用信号線及び青色用信号線へは、いかなる電流も出力しないようにする。このようにして、選択された一行の画素３群に属するｎ個の赤色用有機ＥＬ素子ＥＬＲのみを第１の設定電流ＣＲ１の電流レベルに応じた輝度で発光させる。
【００４２】
このとき、前記ｎ個の赤色用有機ＥＬ素子ＥＬＲのうち、任意の１個の赤色用有機ＥＬ素子ＥＬＲを選択しその輝度を測定することで、その赤色用有機ＥＬ素子ＥＬＲの初期輝度値ＬＲ１を取得する。その後、同赤色用有機ＥＬ素子ＥＬＲの輝度を経時的に測定することで、赤色用有機ＥＬ素子ＥＬＲの経時変化に関する特性を取得する。
【００４３】
続いて、検査回路５から前記第１の設定電流ＣＲ１とは異なった一定電流レベルを有する第２及び第３の設定電流ＣＲ２，ＣＲ３を、先に選択した同一の赤色用有機ＥＬ素子ＥＬＲに対して出力し、その出力した電流レベルに対する初期輝度値及びその経時変化に関する特性を、前記と同様にして取得する。
【００４４】
具体的には、たとえば、走査線駆動回路４からの走査信号によって、図１に示した表示領域Ｒ内の上端側（図１中Ｙ矢印方向側）に配置された一行の画素３群を選択させ、そのタイミングで検査回路５から赤色用信号線に１２ｂｍＡ／ｃｍ２の電流レベルを有する第１の設定電流ＣＲ１を出力する。このとき、その選択された画素３群のうちの図１中左端側（反Ｘ矢印方向側）に配置された１組の画素３に属する１個の赤色用有機ＥＬ素子ＥＬＲの初期輝度値ＬＲ１及びその経時変化に関する輝度特性を取得する。
【００４５】
図３は、このようにして測定された赤色用有機ＥＬ素子ＥＬＲの輝度特性曲線の一例を示す図である。この一例では、図３に示すように、測定された赤色用有機ＥＬ素子ＥＬＲの初期輝度値ＬＲ１は、６．４ａＣｄ／ｃｍ２であった。そして、この初期輝度値ＬＲ１に対して、例えば、輝度が５０％、即ち３．２ａＣｄ／ｃｍ２に低下する半減期間が０．９６Ｔｈであった。ここで、本明細書における「半減期間」とは、初期輝度値の５０％の輝度に達するまでの期間であると定義する。また、前記した「ａ」は、本明細書においては、ある所定の輝度を単位とした係数であって、たとえば、輝度が６．４ａであるとは、その所定の係数ａの６．４倍の大きさの輝度であることを示す。さらに、前記した「ｂ」は、本明細書においては、ある所定の電流レベルを単位とした係数であって、たとえば、電流レベルが１２ｂであるとは、その所定の電流レベルの１２倍の大きさの電流レベルであることを示す。さらにまた、前記した「Ｔ」は、本明細書においては、ある所定の時間を単位とした係数であって、たとえば、半減期間が０．９６Ｔｈであるとは、その所定の期間Ｔの０．９６倍の長さの期間であることを示す。
【００４６】
また、同一の赤色用有機ＥＬ素子ＥＬＲに対して、検査回路５から赤色用信号線に６ｂｍＡ／ｃｍ２の電流レベルを有する第２の設定電流ＣＲ２を、また１．８７５ｂｍＡ／ｃｍ２の電流レベルを有する第３の設定電流ＣＲ３をそれぞれ出力し、各々の初期輝度値ＬＲ２，ＬＲ３及びその経時変化に関する輝度特性を取得する。すると、図３に示すように、６ｂｍＡ／ｃｍ２の電流レベルを有する第２の設定電流ＣＲ２を出力したときの赤色用有機ＥＬ素子ＥＬＲの初期輝度値ＬＲ２は、３．２ａＣｄ／ｃｍ２であり、半減期間は、２．４Ｔｈであった。また、１．８７５ｂｍＡ／ｃｍ２の電流レベルを有する第３の設定電流ＣＲ３を出力したときの赤色用有機ＥＬ素子ＥＬＲの初期輝度値ＬＲ３は、ａＣｄ／ｃｍ２であり、半減期間は、６Ｔｈであった。
【００４７】
次に、取得された３つの輝度特性から赤色用有機ＥＬ素子ＥＬＲの特性係数ｎＲを求める。この赤色用有機ＥＬ素子ＥＬＲの特性係数ｎＲは、各設定電流ＣＲ１，ＣＲ２，ＣＲ３における初期輝度値ＬＲ１，ＬＲ２，ＬＲ３及び半減期間をそれぞれ「１」に規格化し、その規格化されたときの各輝度特性曲線から求める。
【００４８】
図４は、規格化された赤色用有機ＥＬ素子ＥＬＲの輝度特性曲線である。図４に示すように、同一の赤色用有機ＥＬ素子ＥＬＲの輝度特性は、その初期輝度値ＬＲ１，ＬＲ２，ＬＲ３及び半減期間を規格化するとその経時変化は全て一致する。また、表示領域Ｒ内の他の位置に配置された赤色用有機ＥＬ素子ＥＬＲにおいても、その素子の構造が全て同じ構造であるので、表示領域Ｒ内の他の位置に配置された赤色用有機ＥＬ素子ＥＬＲの輝度特性にも一致する。
【００４９】
次に、図４に示した赤色用有機ＥＬ素子ＥＬＲの初期輝度値及び半減期間をそれぞれ自然対数値あるいは常用対数値で表わし、その数値で表わされた赤色用有機ＥＬ素子ＥＬＲの輝度特性曲線の傾きから赤色用有機ＥＬ素子ＥＬＲの特性係数ｎＲを求める。前記したように、規格化後の各赤色用有機ＥＬ素子ＥＬＲの輝度特性は全て同じなので、全ての赤色用有機ＥＬ素子ＥＬＲの特性係数ｎＲは等しい。具体的には、本実施形態においては、赤色用有機ＥＬ素子ＥＬＲの特性係数ｎＲは−２．１５であった。
【００５０】
以下、前記赤色用有機ＥＬ素子ＥＬＲの場合と同様にして、緑色用有機ＥＬ素子ＥＬＧの各設定電流に対するそれぞれの初期輝度値及びその経時変化に関する輝度特性を取得する。そして、各設定電流における初期輝度値及び半減期間を規格化する。続いて、規格化された輝度特性曲線を、緑色用有機ＥＬ素子ＥＬＧの各初期輝度値及び半減期間をそれぞれ自然対数値で表わした場合の輝度特性曲線に変換し、緑色用有機ＥＬ素子ＥＬＧの特性係数ｎＧを取得する。
【００５１】
同様にして、青色用有機ＥＬ素子ＥＬＢの各定電流に対するそれぞれの初期輝度値及びその各経時変化に関する輝度特性を取得する。そして、各定電流における初期輝度値及び半減期間を規格化する。続いて、規格化されたときの輝度特性曲線を、青色用有機ＥＬ素子ＥＬＢの各初期輝度値及び半減期間をそれぞれ自然対数値で表わした場合の輝度特性曲線に変換し、青色用有機ＥＬ素子ＥＬＢの特性係数ｎＢを取得する。
【００５２】
具体的には、この緑色用有機ＥＬ素子ＥＬＧの特性係数ｎＧ及び青色用有機ＥＬ素子ＥＬＢの特性係数ｎＢは共に−１．５〜−２．３の値であった。
次に、前記のようにして得られた赤色用有機ＥＬ素子ＥＬＲの特性係数ｎＲ、緑色用有機ＥＬ素子ＥＬＧの特性係数ｎＧ、及び青色用有機ＥＬ素子ＥＬＢの特性係数ｎＢから、赤、緑及び青色用エージング電流ＩＲ，ＩＧ，ＩＢの電流レベルを以下のようにしてそれぞれ設定する。
【００５３】
まず、赤色用有機ＥＬ素子ＥＬＲの特性係数ｎＲ、第１の設定電流ＣＲ１を第１の駆動条件とし、その第１の設定電流ＣＲ１で第１の輝度ＬＲａに到達するのに要する時間をＴＲａ、第２の設定電流ＣＲ２を第２の駆動条件とし、その第２の設定電流ＣＲ２で第２の輝度ＬＲbに到達するのに要する時間をＴＲｂとしたとき、次式
ＴＲａ／ＴＲｂ＝（ＣＲ１／ＣＲ２）ｎＲ・・・（１）
及び
ＴＲａ／ＴＲｂ＝（ＬＲａ／ＬＲｂ）ｎＲ・・・（２）
が成立する。上記式（１）及び（２）が特許請求の範囲に記載されたτ１＝τ２（Ｃ１／Ｃ２）ｎに対応している。
【００５４】
そして、本発明では、上記式（１）または（２）にて示される曲線で適合させ、式（１
）または（２）に基づいて、全ての赤色用有機ＥＬ素子ＥＬＲに供給する赤色用エージング電流ＩＲの電流レベルを設定する。
【００５５】
具体的には、本実施形態の赤色用有機ＥＬ素子ＥＬＲは、前記したように、その特性係数ｎＲが−２．１５であり、第１の設定電流ＣＲ１の電流レベルが１２ｂｍＡ／ｃｍ２である場合、初期輝度値は３．６ａＣｄ／ｃｍ２、半減期間は０．９６Ｔｈとなる特性を有する素子である。従って、上式（２）を用いて、例えば、半減期間が０．２Ｔｈになるような初期輝度値ＬＩＲｏを以下のようにして算出される。
【００５６】
（０．２Ｔ／０．９６Ｔ）＝（ＬＩＲｏ／３．６ａ）−２．１５・・・（３）
この式（３）を初期輝度値ＬＩＲｏについて解くと、初期輝度値ＬＩＲｏは、７．５ａＣｄ／ｃｍ２となる。そして、検査回路５から出力される赤色用エージング電流の電流レベルを各赤色用有機ＥＬ素子ＥＬＲが７．５ａＣｄ／ｃｍ２となるような電流レベルに合わせ込むようにする。
【００５７】
また、緑色用有機ＥＬ素子ＥＬＧの特性係数ｎＧ、第１の設定電流ＣＧ１を第１の駆動条件とし、その第１の駆動条件（＝第１の設定電流ＣＧ１）で第１の輝度ＬＧａに到達するのに要する時間をＴＧａ、第２の設定電流ＣＧ２を第２の駆動条件とし、その第２の設定電流ＣＧ２で第２の輝度ＬＧｂに到達するのに要する時間をＴＧｂとしたとき、次式
ＴＧａ／ＴＧｂ＝（ＣＧ１／ＣＧ２）ｎＧ・・・（４）
及び
ＴＧａ／ＴＧｂ＝（ＬＧａ／ＬＧｂ）ｎＧ・・・（５）
が成立する。そして、本発明では、上記式（４）または（５）にて示される曲線で適合させ、式（４）または（５）に基づいて、全ての緑色用有機ＥＬ素子ＥＬＧに供給する緑色用エージング電流ＩＧの電流レベルを設定する。即ち、前記した赤色用有機ＥＬ素子ＥＬＲの場合と同様にして、上式（５）を用いて、例えば、半減期間が０．２Ｔｈとなるような初期輝度値ＬＩＧｏを算出する。そして、検査回路５から出力される緑色用エージング電流ＩＧの電流レベルを、初期輝度値ＬＩＧｏとなるような電流レベルに合わせ込むようにする。
【００５８】
また、青色用有機ＥＬ素子ＥＬＢの特性係数ｎＢ、第１の設定電流ＣＢ１を第１の駆動条件とし、その第１の駆動条件（＝第１の設定電流ＣＢ１）で第１の輝度ＬＢａに到達するのに要する時間をＴＢａ、第２の設定電流ＣＢ２を第２の駆動条件とし、その第２の設定電流ＣＢ２で第２の輝度ＬＢｂに到達するのに要する時間をＴＢｂとしたとき、次式
ＴＢａ／ＴＢｂ＝（ＣＢ１／ＣＢ２）ｎＢ・・・（６）
及び
ＴＢａ／ＴＢｂ＝（ＬＢａ／ＬＢｂ）ｎＢ・・・（７）
が成立する。そして、そして、本発明では、上記式（６）または（７）にて示される曲線で適合させ、式（６）または（７）に基づいて、全ての青色用有機ＥＬ素子ＥＬＢに供給する青色用エージング電流ＩＢの電流レベルを設定する。即ち、前記した赤色用有機ＥＬ素子ＥＬＲの場合と同様にして、上式（７）を用いて、例えば、半減期間が０．２Ｔｈとなるような初期輝度値ＬＩＢｏを算出する。そして、検査回路５から出力される青色用エージング電流ＩＢの電流レベルを、初期輝度値ＬＩＢｏとなるような電流レベルに合わせ込むようにする。
【００５９】
以上のような方法によって、ＴＲｂ＝ＴＧｂ＝ＴＢｂ＝０．２Ｔｈとなるように、各赤、緑及び青色用有機ＥＬ素子ＥＬＲ，ＥＬＧ，ＥＬＢの初期輝度値を与える各赤、緑及び青色用エージング電流ＩＲ，ＩＧ，ＩＢを設定した。そして、前記制御回路７から出力される各種制御信号によって走査線駆動回路４が前記全素子選択信号を出力するとともに、その全素子選択信号が出力されたタイミングで、検査回路５から前記赤色用信号線を介し
て全ての赤色用有機ＥＬ素子ＥＬＲの各々に赤色用エージング電流ＩＲを出力する。また、これに同期して、検査回路５から前記緑色用信号線を介して全ての緑色用有機ＥＬ素子ＥＬＲの各々に緑色用エージング電流ＩＧを、また、前記青色用信号線を介して全ての青色用有機ＥＬ素子ＥＬＧの各々に青色用エージング電流ＩＢを出力する。
【００６０】
そして、各走査線駆動回路４から、０．２Ｔｈ時間、前記全素子選択信号の出力が維持され、エージング処理が行われ、０．２Ｔｈ時間終了後、前記各走査線駆動回路４からの全素子選択信号の出力が停止してエージング処理を終了させる。このような設定条件にてエージング処理を行うことで、全ての有機ＥＬ素子ＥＬＲ，ＥＬＧ，ＥＬＢがその半減期間に至るまで、同一の時間で同時に各素子ＥＬＲ，ＥＬＧ，ＥＬＢに対して過不足無くエージング処理を行うことができる。そして、そのエージング処理終了後、有機ＥＬディスプレイ１が出荷される。
【００６１】
尚、特許請求の範囲に記載の第１の駆動条件は、本実施形態においては、第１の設定電流ＣＲ１に対応している。特許請求の範囲に記載の第２の駆動条件は、本実施形態においては、第２の設定電流ＣＲ２に対応している。特許請求の範囲に記載の電気光学素子は、本実施形態においては、赤、緑または青色用有機ＥＬ素子ＥＬＲ，ＥＬＧ，ＥＬＢに対応している。特許請求の範囲に記載の定数は、本実施形態においては、特性係数ｎＲ，ｎＧ，ｎＢに対応している。特許請求の範囲に記載の電気光学装置は、本実施形態においては、有機ＥＬディスプレイ１に対応している。特許請求の範囲に記載の陽極は、本実施形態においては、画素電極１０に対応している。特許請求の範囲に記載の発光層は、本実施形態においては、赤、緑または青色用発光層１２Ｒ，１２Ｇ，１２Ｂに対応している。特許請求の範囲に記載の電気光学層は、本実施形態においては、赤、緑または青色用発光層１２Ｒ，１２Ｇ，１２Ｂまたは正孔輸送層１１に対応している。
【００６２】
上記したように、本実施形態によれば、以下の効果を有する。
（１）本実施形態によれば、ＴＲａ／ＴＲｂ＝（ＬＲａ／ＬＲｂ）ｎＲ、ＴＧａ／ＴＧｂ＝（ＬＧａ／ＬＧｂ）ｎＧ及びＴＢａ／ＴＢｂ＝（ＬＢａ／ＬＢｂ）ｎＢに基づいて、それぞれ赤、緑及び青色用有機ＥＬ素子ＥＬＲ，ＥＬＧ，ＥＬＢのエージング処理の設定条件を算出した。従って、過不足の無い最適な条件で各赤、緑及び青色用有機ＥＬ素子ＥＬＲ，ＥＬＧ，ＥＬＢをエージング処理させることができる。
（２）本実施形態によれば、ＴＲａ／ＴＲｂ＝（ＬＲａ／ＬＲｂ）ｎＲ、ＴＧａ／ＴＧｂ＝（ＬＧａ／ＬＧｂ）ｎＧ及びＴＢａ／ＴＢｂ＝（ＬＢａ／ＬＢｂ）ｎＢに基づいて、各赤、緑及び青色用有機ＥＬ素子ＥＬＲ，ＥＬＧ，ＥＬＢの半減期間を一致させる初期輝度値を算出した。そして、各赤、緑及び青色用有機ＥＬ素子ＥＬＲ，ＥＬＧ，ＥＬＢのエージング電流ＩＲ，ＩＧ，ＩＢの電流レベルをその算出した初期輝度値に対応した値になるように合わせ込ませた。従って、エージング処理期間が全ての赤、緑及び青色用有機ＥＬ素子ＥＬＲ，ＥＬＧ，ＥＬＢで一致させることができる。
（３）本実施形態によれば、赤色、緑色、青色からなるフルカラー表示可能な有機ＥＬディスプレイ１の全ての有機ＥＬ素子ＥＬＲ，ＥＬＧ，ＥＬＢに対して過不足の無い最適な条件でエージング処理させることができる。
（４）本実施形態によれば、赤、緑及び青色用有機ＥＬ素子ＥＬＲ，ＥＬＢ，ＥＬＢのそれぞれの特性係数ｎＲ，ｎＧ，ｎＢは−１．５〜−２．３の値であり、その各赤、緑及び青色用有機ＥＬ素子ＥＬＲ，ＥＬＢ，ＥＬＢのそれぞれの特性係数ｎＲ，ｎＧ，ｎＢに対して過不足の無い最適な条件でエージング処理させることができる。
（第２実施形態）
次に、第１実施形態で説明した電気光学装置としての有機ＥＬディスプレイ１の電子機器の適用について図５に従って説明する。
【００６３】
図５は、電子機器の一例たる携帯電話の表示部に適用した例を示す携帯電話の斜視構成
図である。図５において、この携帯電話６０は、有機ＥＬディスプレイ１を用いた表示ユニット６４と、複数の操作ボタン６１とを備えている。この場合でも、有機ＥＬディスプレイ１を用いた表示ユニット６４から出射される光の輝度は安定している。従って、携帯電話６０の歩留まりを向上させることができる。
【００６４】
尚、発明の実施形態は、上記各実施形態に限定されるものではなく、以下のように実施してもよい。
・上記実施形態では、有機ＥＬディスプレイ１には、赤色の光を出射する赤色用有機ＥＬ素子ＥＬＲ、緑色の光を出射する緑色用有機ＥＬ素子ＥＬＧ、青色の光を出射する青色用有機ＥＬ素子ＥＬＧの３種類の電気光学素子を備えていたが、これに限定されるものではなく、要は、異なった種類の電気光学素子を備えたディスプレイであれば本発明のエージング処理の設定方法を適用させることで過不足の無い最適なエージング処理を行うことができる。
【００６５】
・上記実施形態では、所定の１個の赤色用有機ＥＬ素子ＥＬＲに対してそれぞれ異なった電流レベルを有する第１の設定電流ＣＲ１、第２の設定電流ＣＲ２及び第３の設定電流ＣＲ３を供給して、同赤色用有機ＥＬ素子ＥＬＲの輝度特性を取得した。また、所定の１個の緑色用有機ＥＬ素子ＥＬＧに対してそれぞれ異なった電流レベルを有する第１の設定電流ＣＧ１、第２の設定電流ＣＧ２及び第３の設定電流ＣＧ３を供給して、同緑色用有機ＥＬ素子ＥＬＧの輝度特性を取得した。さらに、所定の１個の青色用有機ＥＬ素子ＥＬＢに対してそれぞれ異なった電流レベルを有する第１の設定電流ＣＢ１、第２の設定電流ＣＢ２及び第３の設定電流ＣＢ３を供給して、同青色用有機ＥＬ素子ＥＬＢの輝度特性を取得した。
【００６６】
これに限定されることなく、例えば、所定の１個の赤色用有機ＥＬ素子ＥＬＲに対して第１の設定電流ＣＲ１のみを供給して、同赤色用有機ＥＬ素子ＥＬＲの輝度特性を取得するようにしてもよい。同様に、所定の１個の緑色用有機ＥＬ素子ＥＬＧに対して第１の設定電流ＣＧ１のみを供給して、同緑色用有機ＥＬ素子ＥＬＧの輝度特性を取得するようにしてもよい。また同様に、所定の１個の青色用有機ＥＬ素子ＥＬＢに対して第１の設定電流ＣＢ１のみを供給して、同青色用有機ＥＬ素子ＥＬＢの輝度特性を取得するようにしてもよい。このようにすることで、上記第１の実施形態と同様の効果を得ることができる。
【図面の簡単な説明】
【００６７】
【図１】本発明のエージング処理の設定方法を用いた製造された有機ＥＬディスプレイの上面図である。
【図２】有機ＥＬディスプレイのａ−ａ線での断面図である
【図３】赤色用有機ＥＬ素子の輝度特性の一例を示す図である。
【図４】規格化された赤色用有機ＥＬ素子の輝度特性曲線である。
【図５】電子機器の一例たる携帯電話の表示部に適用した例を示す携帯電話の斜視構成図である。
【符号の説明】
【００６８】
ＣＲ１，ＣＧ１，ＣＢ１…第１の駆動条件としての第１の設定電流、ＣＲ２，ＣＧ２，ＣＢ２…第２の駆動条件としての第２の設定電流、ＥＬＢ…電気光学素子または青色用電気光学素子としての青色用有機ＥＬ素子、ＥＬＧ…電気光学素子または緑色用電気光学素子としての緑色用有機ＥＬ素子、ＥＬＲ…電気光学素子または赤色用電気光学素子としての赤色用有機ＥＬ素子、ｎＲ，ｎＧ，ｎＢ…定数としての特性係数、１…電気光学装置としての有機ＥＬディスプレイ、１０…陽極としての画素電極、１２Ｂ…発光層または電気光学層としての青色用発光層、１２Ｇ…発光層または電気光学層としての緑色用発光層、１２Ｒ…発光層または電気光学層としての赤色用発光層、１４…陰極。
【図１】
2005276677.tif 000003
【図２】
2005276677.tif 000004
【図３】
2005276677.tif 000005
【図４】
2005276677.tif 000006
【図５】
2005276677.tif 000007